(57)【要約】【課題】  インクボテによる余剰インクを吸収してボールペンチップ先端部をクリーニングすることができる構成としたキャップ式筆記具を提供すること。【解決手段】  キャップ部材７内には弾性復元性を有するシール体１０およびこれに保持された同じく弾性復元性を有するインク吸収体１１が配置されている。このキャップ部材７をボールペン本体に装着することで、インクボテによるボールペンチップ５の先端部に付着した余剰インクは、インク吸収体１１によって吸収されクリーニングされる。さらに、ボールペンチップ５の先端部は、インク吸収体１１のほぼ中央部を貫通することでシール体１０によって包囲され、インク溶媒の揮発による乾燥が防止される。【選択図】  図５
2005219482.tif 000002
【特許請求の範囲】
【請求項１】
先端部にボールペンチップを備えた筆記具本体と、前記筆記具本体とは別体に構成され、前記筆記具本体に対して着脱可能になされると共に、その装着時において前記ボールペンチップを覆うことができるキャップ部材より構成されたキャップ式筆記具であって、
前記キャップ部材内には、筆記具本体への装着時において前記ボールペンチップに付着したインクボテによる余剰インクを吸収することができるインク吸収体が配置されていることを特徴とするキャップ式筆記具。
【請求項２】
前記インク吸収体は、前記ボールペンチップの当接によりチップ先端部が当該インク吸収体を突き抜けることができるように構成されていることを特徴とする請求項１記載のキャップ式筆記具。
【請求項３】
前記インク吸収体には、前記ボールペンチップの先端部を通過させる貫通部が形成されていることを特徴とする請求項１または２記載のキャップ式筆記具。
【請求項４】
前記インク吸収体は、多孔性物質もしくは繊維束芯により構成されていることを特徴とする請求項１ないし３のいずれかの項に記載のキャップ式筆記具。
【請求項５】
前記キャップ部材内における前記インク吸収体のさらに奥に、ボールペンチップの先端部を覆うことができるシール体が配置されていることを特徴とする請求項１ないし４のいずれかの項に記載のキャップ式筆記具。
【請求項６】
前記インク吸収体と前記シール体とは、両者の間に介在されたホットメルトを溶融することで互いに接合されていることを特徴とする請求項５に記載のキャップ式筆記具。
【請求項７】
前記ホットメルトは、素材が偏平にして網目状に形成されていることを特徴とする請求項６に記載のキャップ式筆記具。
【請求項８】
請求項６または請求項７に記載のキャップ式筆記具に使用される前記インク吸収体とシール体とによる成形体を製造する製造方法であって、
前記インク吸収体を構成する素材と前記シール体を構成する素材との間に、偏平状に形成されたホットメルトを介在させて熱圧着し、前記ホットメルトを溶融することで、多層構造の重合体を形成する工程と、
前記重合体の面に直交する方向から、前記多層構造の重合体を所定の面積をもって打ち抜くことで前記成形体を得る工程と、
を実行することを特徴とするインク吸収体とシール体とによる成形体を製造する製造方法。
【請求項９】
前記多層構造の重合体を互いに重複しない位置においてそれぞれ所定の面積をもって同時に打ち抜くことで、前記複数の成形体を得ることを特徴とする請求項８に記載のインク吸収体とシール体とによる成形体を製造する製造方法。
【発明の詳細な説明】
【技術分野】
【０００１】
この発明は、ボールペンチップの先端部に溜まるいわゆるインクボテを吸収して、ボールペンチップの先端部をクリーニングすることができるインク吸収体をキャップ部材内に備えたキャップ式筆記具と、これに使用されるインク吸収体とシール体とによる成形体を製造する製造方法に関する。
【背景技術】
【０００２】
例えば水性ボールペン等においては、長期間の放置によりボールペンチップ付近におけるインク溶媒が揮発して乾燥し、使用開始時の筆記を不可能にするという問題を抱えている。また、例えばペン先を下向きにした状態で保管したり、また軸方向に衝撃が加わった場合においては、ボールペンチップよりインクが吐出するという問題も発生する。そこで、斯かる問題の発生を防止するために、ボールペンチップを覆うキャップ部材内に、弾性体からなる非吸水性のシール体を配置した構成の筆記具が提案されている（例えば特許文献１参照）。
【特許文献１】実開昭５９−９７０８５号公報
【０００３】
前記した特許文献１に開示された構成の筆記具によると、筆記具本体にキャップ部材を装着した場合に、キャップ部材内に配置された弾性体からなるシール体がボールペンチップの当接を受けて変形し、シール体はボールペンチップを埋没させるようにして包囲する。これにより、ボールペンチップ付近におけるインク溶媒の揮発による乾燥を効果的に防止させると共に、衝撃等を受けてボールペンチップよりインクが吐出するという不都合の発生も避けることができる。
【発明の開示】
【発明が解決しようとする課題】
【０００４】
ところで、この種のボールペンにおいては、従来からインクボテという現象が発生することが知られている。このインクボテとは、筆記面などに転写しきれなかった余剰インクが、筆記チップのボールを支えるホルダーの端部（カシメ部）によりこし取られ、ホルダー先端の外周に溜まってしまう現象をいう。このインクボテが発生した場合には、筆記面を汚染させる要因となる。そして、インクボテにより汚染された筆記面を無意識に指先等で擦るなどして、さらに擦り跡に二次汚染を発生させてしまうことも度々経験する。
【０００５】
前記した特許文献１に示されたようにキャップ部材内にシール体を配置したキャップ式筆記具においては、前記したインクボテが発生した状態のままでキャップ部材を装着した場合には、インクボテによる過剰なインクがシール体に付着して、汚染を拡げてしまうという問題が発生する。このようにシール体を過剰なインクにより汚染させてしまうと、シール体の機能としてインクを吸収する能力が殆どないために、ボールペンチップが常に汚れた状態になるなど、粗悪なイメージを与えるという問題が発生する。さらには、ボールペンチップに余剰なインクが常に付着しているために、筆記の開始時には筆記面に余剰なインクによる汚染を発生させてしまうという問題が発生する。
【０００６】
それ故、この発明は前記した問題点に着目してなされたものであり、たとえ前記したようにインクボテが発生しても、これによる余剰インクを吸収してペンチップの先端部をクリーニングすることができる構成とすることで、筆記面の汚染を可及的に低減させることができるキャップ式筆記具を提供することを第１の解決課題とするものである。
【０００７】
また、この発明は前記したキャップ式筆記具において用いられるインク吸収体とシール体とによる成形体を製造する製造方法を提供しようとするものであり、特にインク吸収体およびシール体のそれぞれの機能を十分に発揮することができる成形体の製造方法を提供することを第２の解決課題とするものである。
【課題を解決するための手段】
【０００８】
前記した第１の課題を解決するためになされたこの発明にかかるキャップ式筆記具は、請求項１に記載のとおり、先端部にボールペンチップを備えた筆記具本体と、前記筆記具本体とは別体に構成され、前記筆記具本体に対して着脱可能になされると共に、その装着時において前記ボールペンチップを覆うことができるキャップ部材より構成されたキャップ式筆記具であって、前記キャップ部材内には、筆記具本体への装着時において前記ボールペンチップに付着したインクボテによる余剰インクを吸収することができるインク吸収体が配置されている点に特徴を有する。
【０００９】
この場合、一つの好ましい形態においては請求項２に記載のとおり、前記インク吸収体は、前記ボールペンチップの当接によりチップ先端部が当該インク吸収体を突き抜けることができるように構成される。また、他の好ましい形態においては請求項３に記載のとおり、前記インク吸収体には、前記ボールペンチップの先端部を通過させることができる貫通部が形成された構成とされる。
【００１０】
これに加えて請求項４に記載のとおり、前記インク吸収体は、多孔性物質もしくは繊維束芯により構成されていることが望ましい。そして、この発明にかかるキャップ式筆記具の好ましい形態においては請求項５に記載のとおり、キャップ部材内におけるインク吸収体のさらに奥に、ボールペンチップの先端部を覆うことができるシール体が配置された構成とされる。
【００１１】
この場合、前記インク吸収体と前記シール体とは、請求項６に記載のとおり両者の間に介在されたホットメルトを溶融することで互いに接合された構成にされていることが望ましく、さらに請求項７に記載のとおり、前記ホットメルトは素材が偏平にして網目状に形成された構成のものを利用することが望ましい。
【００１２】
一方、前記した第２の課題を解決するためになされたこの発明にかかるインク吸収体とシール体とによる成形体を製造する製造方法は、請求項８に記載のとおり、インク吸収体を構成する素材と前記シール体を構成する素材との間に、偏平状に形成されたホットメルトを介在させて熱圧着し、前記ホットメルトを溶融することで、多層構造の重合体を形成する工程と、前記重合体の面に直交する方向から、前記多層構造の重合体を所定の面積をもって打ち抜くことで前記成形体を得る工程とが実行されるようになされる。
【００１３】
この場合、請求項９に記載のとおり、前記多層構造の重合体を互いに重複しない位置においてそれぞれ所定の面積をもって同時に打ち抜くことで、複数の成形体を得るようにすることが望ましい。
【発明の効果】
【００１４】
前記した請求項１に記載のキャップ式筆記具によると、ボールペンチップに付着したインクボテによる余剰インクを吸収することができるインク吸収体がキャップ部材内に配置されているので、たとえボールペンチップ付近にインクボテが発生しても、筆記具本体にキャップ部材を装着することにより、ボールペンチップに付着した余剰インクをインク吸収体により効果的に吸収し、クリーニングすることができる。したがって、余剰インクによりボールペンチップが汚染されるのを常に防止させることができ、筆記面の汚染を効果的に低減させることが可能となる。
【００１５】
また、請求項２に記載のように、キャップ部材内に配置されたインク吸収体が、ボールペンチップの当接により、そのチップ先端部が当該インク吸収体を突き抜けることができるように構成されていることで、例えば請求項５に記載のようにインク吸収体のさらに奥に、ボールペンチップの先端部を覆うことができるシール体を配置した構成とした場合において、シール体によりボールペンチップの先端部を覆い、ボールペンチップ部分におけるインクの乾燥を防止させる機能を効果的に発揮させることができる。
【００１６】
さらに、請求項３に記載のように、インク吸収体にボールペンチップの先端部を通過させることができる貫通部を形成した構成とすることで、インク吸収体におけるボールペンチップが通過する位置を常に一定に定めることができ、インク吸収体によるインクの払拭効率のばらつきを抑えることができる。そして、前記と同様にインク吸収体のさらに奥に、ボールペンチップの先端部を覆うことができるシール体を配置した構成とした場合においては、同様にシール体によるボールペンチップ部分におけるインクの乾燥を防止させる機能を効果的に発揮させることができる。
【００１７】
また、請求項４に記載のように、インク吸収体を多孔性物質もしくは繊維束芯により構成することで、ボールペンチップ部分における余剰インクの吸収効率を向上させることができ、ボールペンチップ部分の安定したクリーニング効果を発揮させることができる。
【００１８】
さらにまた、請求項５に記載のように、キャップ部材内におけるインク吸収体のさらに奥に、ボールペンチップの先端部を覆うことができるシール体を配置した構成を採用することで、特に水性インクを用いたボールペンにおいては、インク吸収体による余剰インクの払拭効果と共に、ボールペンチップ部分におけるインクの乾燥を効果的に防止させることができ、ボールペンの使用開始時の筆記を不可能にするという問題も解消させることができる。
【００１９】
一方、請求項６に記載のように、前記インク吸収体とシール体とを両者の間に介在されたホットメルトを溶融することで互いに接合した構成とすることで、ボールペン本体からキャップ部材を取り外した際に、キャップ部材内に配置されたインク吸収体が、シール体から外れて、脱落するという問題を解消することができる。
【００２０】
そして、請求項７に記載のように、前記ホットメルトとして素材が偏平にして特に網目状に形成されたものを利用することで、ボールペン本体にキャップ部材を装着した場合、ボールペンチップがホットメルトの層を容易に突き抜けることができ、前記シール体によるボールペンチップ部分のインクの乾燥を防止させる機能を効果的に発揮させることができる。
【００２１】
そして、請求項８に記載された製造方法を採用した場合においては、インク吸収体とシール体とを構成する各素材を、まずホットメルトにより熱圧着した後に、所定の面積をもって打ち抜くことで前記成形体を得るようになされるので、インク吸収体とシール体との相互においてずれが生ずることのない常に均一な成形体を得ることができる。
【００２２】
これに加えて、請求項９に記載された製造方法を採用した場合においては、一度の打ち抜き工程において、同時に多数の成形体を得ることができ、その製造効率を向上させることに寄与できる。
【発明を実施するための最良の形態】
【００２３】
以下、この発明にかかるキャップ式筆記具について、図に示す実施の形態に基づいて説明する。まず、図１〜図５はこの発明にかかる筆記具の第１の実施の形態を示したものである。図１に一部を断面図によって示したとおり、筆記具（ボールペン）本体１の外郭を構成する軸筒は、合成樹脂製の先軸２と、この先軸２の後方において前記先軸２に対して着脱可能に取り付けられた合成樹脂製の後軸３より構成されている。
【００２４】
そして、前記先軸２の先端部には、金属製の口金４が先軸２の内面において嵌め込まれることで取り付けられている。なお、図には示されていないが前記先軸２の後端部における内周面と、後軸３の前端部における外周面には、それぞれねじ部が形成されており、このねじ部を利用することで先軸２に対して後軸３が着脱可能に取り付けられるように構成されている。
【００２５】
前記した構成のボールペン本体１は、先軸２から後軸３を取り外すことにより、ボールペンチップ５と図示せぬインク収容管等を備えたリフィールを軸筒内に収容することができる。そして、この状態で先軸２に対して後軸３を前記ねじを利用して螺合させることで、前記ボールペンチップ５の先端を、前記口金４の先端部に形成された開口部より突出させた組み立て状態にすることができる。
【００２６】
また、図１に示すように、先軸２の若干先端部寄りには、環状の段部２ａが形成されて先軸２の先端部側が僅かに縮径されている。そして、この縮径部分にボールペン本体１とは別体に構成されたキャップ部材７が着脱可能に取り付けられるように構成されている。このキャップ部材７がボールペン本体１に装着されることで、後述するようにボールペンチップ５に付着したインクボテによる余剰インクがインキ吸収体により吸収され、さらにボールペンチップ５は前記インキ吸収体の奥に配置されたシール体によって覆われ、インクの乾燥が防止されるようになされる。
【００２７】
図２は前記したキャップ部材７を拡大して示したものであり、図３はその要部をさらに拡大して示したものである。図２に示すように、このキャップ部材７は合成樹脂によりほぼ円筒体状に構成され、その先端部側には同じく合成樹脂により形成された閉塞部材８が取り付けられている。また、後端部側はキャップ開放部７ａになされていて、前記したボールペン本体１におけるボールペンチップ５が挿入できるように構成されている。さらにキャップ部材７の先端部側の側壁にはクリップ９が取り付けられている。
【００２８】
前記キャップ部材７の先端部側に取り付けられた閉塞部材８は、図３に拡大して示されているとおり有底状の筒状体に成され、その外周面に形成された段部８ａ，８ｂ等を利用して円筒体状に構成されたキャップ部材７の円筒部内に嵌合される形で取り付けられている。そして、閉塞部材８に形成された中央の空間部８ｃには、複数条のリブ８ｄが軸方向に沿って形成されている。また、このリブ８ｄの長手方向のほぼ中央部付近において、リブ８ｄの高さが変更されることで段部８ｅが形成され、これにより各リブ８ｄの稜線部によって形成される内径が、閉塞部材８の奥側において小さくなるように構成されている。
【００２９】
一方、前記閉塞部材８における空間部８ｃ内には、弾力性ならびに復元性を有する素材により構成されたシール体１０が収容され、このシール体１０は前記段部８ｅの形成位置まで押し込まれた状態で、閉塞部材８内に位置決めされている。
【００３０】
図４は、前記シール体１０の構成を示したものであり、図４（Ａ）はこのシール体を側面から視た状態の一部断面図で示されており、また図４（Ｂ）は図４（Ａ）に示した状態のシール体を底面側から視た状態で示されている。このシール体１０は図４に示されたように、その外形形状はほぼ円柱状に構成されており、その上下両面の素材がくりぬかれてそれぞれに空間部が形成され、これにより中央部に薄肉部１０ａが形成されている。そして、シール体１０の下底部には下面側の空間部１０ｂを、その下側から若干包囲するようにした三日月状のオーバハング部１０ｃが左右一対に形成されている。
【００３１】
このシール体１０に形成された下面側の空間部１０ｂには、図２および図３に示されたように円板状に形成され、弾力性ならびに復元性を有するインク吸収体１１が収容されている。すなわちインク吸収体１１は、シール体１０に形成された前記一対のオーバハング部１０ｃにより保持されることで、キャップ部材７内におけるキャップ開放部７ａ側に配置され、このインク吸収体１１のさらに奥に、シール体１０が配置された構成にされている。
【００３２】
図５は前記した構成のキャップ部材７をボールペン本体１に装着した状態における特にボールペン本体１側のボールペンチップ５と、キャップ部材７側に配置されたインク吸収体１１およびシール体１０の様子を示したものである。前記インク吸収体１１は、すでに説明したとおり弾力性ならびに復元性を有する後述する素材により円板状に形成されており、また、このインク吸収体１１を保持するシール体１０も、すでに説明したとおり弾力性ならびに復元性を有する素材により構成されている。
【００３３】
図５に示したようにボールペン本体１側にキャップ部材７が装着された状態においては、ボールペンチップ５の当接を受けてインク吸収体１１はシール体１０の中央部に形成された薄肉部１０ａ側に変形し、また前記薄肉部１０ａもその応力を受けてキャップ部材７の奥側に変形する。この時、ボールペンチップ５に前記したようにインクボテによる余剰なインクが付着している場合には、ボールペンチップ５に付着している余剰インクは、先ずインク吸収体１１によって吸収される。
【００３４】
そして、ボールペン本体１側にキャップ部材７が完全に装着された図５に示す状態においては、インク吸収体１１はボールペンチップ５の先端部によって突き抜かれ、ボールペンチップ５の先端部は、シール体１０に形成された薄肉部１０ａによって覆われるようになされる。このシール体１０は後述するように非吸水性の素材により構成されており、したがって、ボールペンチップ５の先端部はこのシール体１０の薄肉部１０ａによって覆われることにより、インク溶媒の揮発が抑制されインクの乾燥が防止される。また、前記シール体１０は、例えばペン先を下向きにした状態で保管したり、また、軸方向に衝撃が加わった場合において、ボールペンチップよりインクが吐出する問題を解消させることもできる。
【００３５】
前記したインク吸収体１１は、例えば水性インクを効果的に吸収する機能を備える必要があり、また、ある程度の弾性復元性を備えていることが望ましい。そこで、このインク吸収体１１は多孔性物質もしくは繊維束芯（繊維がからみ合った状態）により構成することが望ましい。インク吸収体１１を多孔性物質により形成する場合においては、好ましくは連続発泡体として成形される。これに用いる好ましい素材としては、例えばポリエチレン、ＮＢＲ（アクリロニトリル・ブタジエンゴム）、ポリエステル、ＥＰＤＭ（エチレン・プロピレン・ジエンゴム）、ＩＩＲ（ブチルゴム）を挙げることができる。また、インク吸収体１１を繊維束芯により形成する場合においては、これに用いる好ましい素材としては、例えばポリエステル、ポリエチレン、ポリプロピレンを挙げることができる。
【００３６】
一方、前記したシール体１０は非吸水性の素材により構成されていることが望ましく、また、弾性復元性を備えていることが望ましい。そこで、このシール体１０を形成する好ましい素材としては、例えばＮＢＲ、ＥＰＤＭ、ＩＩＲ、熱可塑性エラストマー、ウレタンゴムを挙げることができる。
【００３７】
次に図６および図７は、この発明にかかるキャップ式筆記具の第２の実施の形態を示したものである。なお、この第２の実施の形態においてはすでに説明したボールペン本体１は同一構成のものが用いられ、その説明は省略する。そして、この第２の実施の形態を示す図６および図７の構成は、すでに説明した第１の実施の形態である図３および図５に対応した部分を示しており、それぞれ相当する部分を同一符号で示し、その詳細な説明は省略する。
【００３８】
図６および図７に示す第２の実施の形態においては、シール体１０によって保持される円板状のインク吸収体１１には、その中央部にボールペンチップ５の先端部を通過させることができる貫通部１１ａが形成されている。この図６に示す貫通部１１ａは、貫通孔として構成されているが、これは円板状のインク吸収体１１の中央部に、例えば十文字状の切り込みを施した構成であってもよい。
【００３９】
インク吸収体１１に前記した貫通部１１ａを形成した構成によると、インク吸収体におけるボールペンチップ５が通過する位置を常に一定に定めることができ、インク吸収体によるインクの払拭効率のばらつきを抑えることができる。そして、ボールペン本体１側にキャップ部材７が完全に装着された図７に示す状態においては、インク吸収体１１に形成された貫通部１１ａは、ボールペンチップ５の先端部によって押し拡げられ、その先端部は、シール体１０に形成された薄肉部１０ａによって確実に覆われるようになされる。これにより、シール体１０によるボールペンチップ５の先端部におけるインクの乾燥を防止させる機能を効果的に発揮させることができる。
【００４０】
なお、図６および図７に示す第２の実施の形態において用いられるインク吸収体１１およびシール体１０を構成する素材は、第１の実施の形態で説明したものと同一のものを用いることができる。
【００４１】
図８および図９は、この発明にかかるキャップ式筆記具の第３の実施の形態を示したものである。なお、この第３の実施の形態においてもすでに説明したボールペン本体１は同一構成のものが用いられ、その説明は省略する。この第３の実施の形態においては、図８に示すように円筒体状に形成されたキャップ部材７内における同軸上に、カップ状部材７ｂが一体に形成されている。そして、前記カップ状部材７ｂ内にボール状に形成されたシール体１０が収容され、またその手前に円板状に形成されたインク吸収体１１が収容されている。
【００４２】
なお、図８に示す実施の形態においては、インク吸収体１１はその外周径が若干縮小された状態でカップ状部材７ｂの内径部に収容されており、インク吸収体１１の弾性復元力によりカップ状部材７ｂ内の定位置に配置されている。したがって、インク吸収体１１がカップ状部材７ｂから抜け出るような問題が発生する場合においては、図には示していないがインク吸収体１１の手前におけるカップ状部材７ｂの内径部に、円環状のリブ等を配置した構成とすることもできる。
【００４３】
一方、図８に示すように円筒体状に形成されたキャップ部材７における先端部側には、クリップ９と一体に成形された筒体状の閉塞部材８が嵌め込まれ、閉塞部材８の内径面が前記したカップ状部材７ｂの外形面に嵌合することで、キャップ部材７における先端部側を閉塞している。
【００４４】
図９は、この第３の実施の形態において用いられるインク吸収体１１の構成を示したものであり、図９（Ａ）はこのインク吸収体を中央で切断した状態の縦断面図で示しており、また図９（Ｂ）はこれを上面から視た状態で示している。図９に示したように円板状に形成されたインク吸収体１１の中央部には、ボールペンチップ５の先端部を通過させることができる貫通部１１ａが形成されている。なお、この図９に示す貫通部１１ａは、貫通孔になされているが、すでに説明した例と同様に円板状のインク吸収体１１の中央部に、例えば十文字状の切り込みを施した構成であってもよい。
【００４５】
この図９に示したインク吸収体１１によると、すでに説明した図６に示すインク吸収体１１と同様の作用効果を得ることができる。そして貫通部１１ａを介してシール体１０に当接するボールペンチップ５の先端部は、ボール状に形成されたシール体１０を変形させることで包囲される。これにより、ボールペンチップ付近におけるインク溶媒の揮発を効果的に阻止させることができ、すでに説明した第１および第２の実施の形態と同様の作用効果を得ることができる。また、図８および図９に示す第３の実施の形態において用いられるインク吸収体１１およびシール体１０においても、その素材は第１の実施の形態で説明したものと同一のものを用いることができる。
【００４６】
以上説明した第１ないし第３の実施の形態においては、いずれもキャップ部材７内にインク吸収体１１が収容され、さらにその奥にシール体１０を配置した構成とされている。これは、例えば水性インクを用いたボールペンとの組み合わせにおいて、前記シール体１０を配置することで、インク溶媒の揮発を低減させる効果を得ようとするものである。しかしながら、インク溶媒の揮発が少ない例えば油性インクを用いたボールペンを対象とした場合においては、前記したシール体１０は必ずしも備える必要はなく、この発明は前記シール体１０が存在しない構成においても有効に利用することができる。
【００４７】
次に図１０〜図１２は、この発明にかかるキャップ式筆記具において利用されるインク吸収体とシール体とによる成形体の構成と、その製造方法を説明するものである。前記インク吸収体とシール体とによる成形体を構成するには、図１０に断面図で示したように、インク吸収体を構成する短冊状の素材１１Ａと、シール体を構成する短冊状の素材１０Ａとが用意され、これらインク吸収体の素材１１Ａとシール体の素材１０Ａとの間に偏平状に形成されたホットメルト１２が介在される。
【００４８】
前記インク吸収体を構成する素材１１Ａは、すでに図３等に基づいて説明したインク吸収体１１を連続発泡体として成形する場合において使用される同一の材料をそれぞれ利用することができるが、ここでは例えば前記したＮＢＲが使用される。また、前記シール体を構成する素材１０Ａは、すでに図３および図４等に基づいて説明したシール体１０を成形する場合において使用される同一の材料をそれぞれ利用することができるが、ここでは例えば前記したＩＩＲが使用される。
【００４９】
一方、この実施の形態においては、前記ホットメルト１２としては網目状（もしくは繊維状）に形成されたものを好適に利用することができる。すなわち、ホットメルトの素材が網目状に形成されることにより、比較的細かな貫通孔が全面にわたって形成された構成のものが利用され、一例として呉羽テック株式会社製の商品名「ダイナックシート」を使用することができる。
【００５０】
図１１は、インク吸収体を構成する素材１１Ａとシール体を構成する素材１０Ａとの間に、ホットメルト１２を介在させて熱圧着させる状態を上面図およびＡ−Ａ線より矢印方向に視た断面図によって示したものである。なお、図１１に示す白抜きの矢印は、図示せぬヒータブロックにより熱圧着される箇所を模式的に示したものであり、特に上面側に位置するシール体を構成する素材１０Ａにおいては、図１１の平面図における円形で囲まれた領域１０ｄの位置を除いて、図示せぬヒータブロックによる熱圧着を受けるようになされる。
【００５１】
これにより、図１１に断面図で示したようにシール体を構成する素材１０Ａにおけるヒータブロックによる熱圧着面は凹んだ状態になされる。そして、図示せぬ上下のヒータブロックにより熱圧着を受けて、素材１０Ａと１１Ａとの間に挾まれた前記ホットメルト１２は一時的に溶融され、前記熱圧着作用の解除により素材１０Ａと１１Ａは、ホットメルト１２により互いに接着された三層構造の重合体になされる。
【００５２】
図１２は、前記した熱圧着工程を経ることにより構成された重合体より、インク吸収体１１とシール体１０とによる成形体１３を得る工程を模式的に示したものであり、前記重合体は同様に断面図で示している。この場合、図１２に示すように前記重合体の上面より、当該上面に直交する鉛直方向から模式的に示した打ち抜き用の金型１４を降下させて重合体の一部を打ち抜くことで、成形体１３を得ることができる。
【００５３】
前記打ち抜き用の金型１４は、図１１に示した円形で囲まれた領域１０ｄの面積をもって前記重合体を打ち抜くように構成されており、これにより前記した熱圧着工程において図示せぬヒータブロックによる圧縮を受けないシール体の構成部分において、図１２に示す成形体１３を得ることができる。
【００５４】
以上のようにして形成されたインク吸収体１１とシール体１０とによる成形体１３は、例えば図２および図３に示したインク吸収体１１とシール体１０の組み合わせに代えて利用することができる。そして図１０〜図１２に示した製造工程によって形成された前記成形体１３によると、インク吸収体１１とシール体１０とがホットメルト１２によって接着された構成になされているので、例えばボールペン本体１からキャップ部材７を取り外した際に、インク吸収体１１がシール体１０から外れて、脱落するという問題を未然に防止させることができる。
【００５５】
一方、インク吸収体１１とシール体１０との接合に、特に網目状に形成されたホットメルトを利用することにより、ボールペン本体１にキャップ部材７を装着した場合、ボールペンチップがホットメルト１２の層を容易に突き抜けることができ、インク吸収体１１によるペンチップ先端部のクリーニング効果と、シール体１０によるペンチップ先端部のインクの乾燥を防止させる機能とを効果的に発揮させることができる。
【００５６】
なお、図１２に基づく説明においては、符号１４で模式的に示した打ち抜き用の金型により、１つの成形体１３を打ち抜く例を示しているが、これは互いに重複しない位置において同時に多数の成形体を打ち抜くことができるように前記金型を構成することができ、当該金型を利用することにより、その製造効率を向上させることができる。
【図面の簡単な説明】
【００５７】
【図１】この発明にかかるキャップ式筆記具の第１の実施の形態を一部断面図で示した正面図である。
【図２】図１に示す実施の形態におけるキャップ部材を拡大して示した断面図である。
【図３】図２に示すキャップ部材の要部をさらに拡大して示した断面図である。
【図４】第１の実施の形態に採用されたシール体の拡大図である。
【図５】第１の実施の形態におけるキャップ部材をボールペン本体に装着した状態の要部拡大断面図である。
【図６】第２の実施の形態におけるキャップ部材の要部を示した断面図である。
【図７】第２の実施の形態におけるキャップ部材をボールペン本体に装着した状態の要部拡大断面図である。
【図８】第３の実施の形態におけるキャップ部材を拡大して示した断面図である。
【図９】第３の実施の形態に採用されたインク吸収体の拡大図である。
【図１０】インク吸収体およびシール体の各素材間にホットメルトを介在させる製造工程を示した断面図である。
【図１１】図１０に示した重合状態で、熱圧着を行なう工程を示した上面図および断面図である。
【図１２】図１１に示した熱圧着工程後において、インク吸収体とシール体とによる成形体を打ち抜く工程を示した断面図である。
【符号の説明】
【００５８】
１      筆記具（ボールペン）本体
２      先軸
３      後軸
４      口金
５      ボールペンチップ
７      キャップ部材
７ａ    キャップ開放部
７ｂ    カップ状部材
８      閉塞部材
９      クリップ
１０    シール体
１０Ａ  シール体の構成素材
１０ａ  薄肉部
１１    インク吸収体
１１Ａ  インク吸収体の構成素材
１１ａ  貫通部
１２    ホットメルト
１３    成形体
１４    打ち抜き用金型
【図１】
2005219482.tif 000003
【図２】
2005219482.tif 000004
【図３】
2005219482.tif 000005
【図４】
2005219482.tif 000006
【図５】
2005219482.tif 000007
【図６】
2005219482.tif 000008
【図７】
2005219482.tif 000009
【図８】
2005219482.tif 000010
【図９】
2005219482.tif 000011
【図１０】
2005219482.tif 000012
【図１１】
2005219482.tif 000013
【図１２】
2005219482.tif 000014